(57)【要約】【課題】海中から船上への引上げ中に貝類の落下、脱落がなく、歩留まりが向上し、効率の良い引上げ作業ができ、労力負担も軽減できるようにすることにある。【解決手段】  数枚の羽根を備えた引上げガイドを船に取付け、その引上げガイドにより、海中の養殖物を水平状態で引上げ、引上げた養殖物を引上げガイドの羽根に水平状態でのせ、羽根の水平回転により水平状態で船上側に送り出す。引上げガイドの羽根から水平状態で送り出される養殖物を、引継ぎ搬送体に送り出し、引継ぎ搬送体の水平回転により、水平状態で船上側に送り出す。養殖物が底面と出し入れ口を備え、内部に貝類を収容可能な収容空間を備えた養殖カゴであり、その底面が下で出し入れ口が上向き（横向き）になる水平状態で引上げ、引上げた養殖物を引上げガイドの羽根に前記水平状態でのせ、羽根の水平回転により水平状態で船上側に送り出すことができる。【選択図】図２
2015139395.tif 000002
【特許請求の範囲】
【請求項１】
海中の貝類入り養殖カゴ、貝類付きロープ等の養殖物を引上げる方法において、
数枚の羽根を備えた引上げガイドを船に取付け、その引上げガイドにより、海中の養殖物を水平状態で引上げ、引上げた養殖物を引上げガイドの羽根に水平状態でのせ、羽根の水平回転により水平状態で船上側に送り出す、
ことを特徴とする養殖物引上げ方法。
【請求項２】
請求項１記載の養殖物引上げ方法において、
羽根の水平回転により水平状態で船上側に送り出す養殖物を、引継ぎ搬送体で引継いで船上側に送り出す、
ことを特徴とする養殖物引上げ方法。
【請求項３】
請求項１又は請求項２記載の養殖物引上げ方法において、
養殖物が底面と出し入れ口を備え、内部に貝類を収容可能な収容空間を備えた養殖カゴであり、その底面が下で出し入れ口が上向き（横向き）になる水平状態で引上げ、引上げた養殖物を引上げガイドの羽根に前記水平状態でのせ、羽根の水平回転により水平状態で船上側に送り出す、
ことを特徴とする養殖物引上げ方法。
【請求項４】
海中の養殖物を船上側に引上げて洗浄する養殖物洗浄方法において、
養殖物を請求項１から請求項３のいずれか１項に記載の養殖物引上げ方法により水平状態で引上げ、その引上げ中に、引上げガイドと引継ぎ搬送体のいずれか一方又は双方の上の養殖物に洗浄体を噴射して養殖物を洗浄する、
ことを特徴とする養殖物洗浄方法。
【請求項５】
海中の養殖物を船上側に引上げて洗浄する養殖物洗浄方法において、
養殖物を請求項１から請求項３のいずれか１項に記載の養殖物引上げ方法により水平状態で船上側に引上げ、その養殖物を引上げガイド又は引継ぎ搬送体又は船上から洗浄機に入れて、その洗浄機内を通過中の養殖物に洗浄体を噴射して洗浄する、
ことを特徴とする養殖物洗浄方法。
【請求項６】
海中の養殖物を船上側に引上げて洗浄する養殖物洗浄方法において、
養殖物が底面と出し入れ口を備えた養殖カゴであり、その底面が下で出し入れ口が上向き（横向き）になる水平状態で引上げ、引上げた養殖物を引上げガイドの羽根に前記水平状態でのせ、羽根の水平回転により水平状態で船上側に送り出し、その引上げ中に養殖物に洗浄体を噴射して、又は引上げ後に洗浄機に入れて洗浄機内で養殖物に洗浄体を噴射して養殖物を洗浄する。
ことを特徴とする養殖物洗浄方法。
【請求項７】
請求項４から請求項６のいずれか１項に記載の養殖物洗浄方法において、
羽根の水平回転により水平状態で船上側に送り出す養殖物を、引継ぎ搬送体で引継いで船上側に送り出し、その送り出し中に、引上げガイドと引継ぎ搬送体の双方又はいずれか一方の上の養殖物に洗浄体を噴射して洗浄する、
ことを特徴とする養殖物洗浄方法。
【請求項８】
請求項４から請求項７のいずれか１項に記載の養殖物洗浄方法において、
引上げガイドをその全部又は一部が船の外に突出するように船に取付けた、
ことを特徴とする養殖物洗浄方法。
【請求項９】
請求項４から請求項８のいずれか１項に記載の養殖物洗浄方法において、
引上げガイドの外周にケースを被せて、養殖物から落ちる汚れの飛散を防止する、
ことを特徴とする養殖物洗浄方法。
【請求項１０】
請求項４から請求項９のいずれか１項に記載の養殖物洗浄方法において、
洗浄体の噴射を二回以上行って養殖物を洗浄し、最初の噴射が高圧噴射、二回目以降の噴射が最初の噴射よりも低圧噴射である、
ことを特徴とする養殖物洗浄方法。
【請求項１１】
請求項４から請求項１０のいずれか１項に記載の養殖物洗浄方法において、
海中からの養殖物の引上げ、洗浄、海中への戻しを連続して行う、
ことを特徴とする養殖物洗浄方法。
【請求項１２】
海中の養殖物を引上げて、養殖物を船上に又は船上の洗浄機に送り出すことができる養殖物引上げガイドにおいて、
養殖物引上げガイドは縦回転する回転体が少なくとも二体と、引上げ中の養殖物をのせることのできる羽根が数枚あり、それら羽根は一端側が前記二体の回転体のうちの一方の回転体に、他端側が他方の回転体に取り付けられて、両回転体と共に回転しながら、両回転体の少なくとも引上げ部と送り出し部において水平状態であり、養殖物を水平状態で支持することができ、水平状態で船上側に送り出し可能である、
ことを特徴とする養殖物引上げガイド。
【請求項１３】
請求項１２記載の養殖物引上げガイドにおいて、
羽根が、汚れが落下できる大きさの網目、孔、隙間を備えた、
ことを特徴とする養殖物引上げガイド。
【請求項１４】
海中の養殖物を船上に引上げながら又は引上げてから洗浄する養殖物洗浄装置において、
養殖物を海中から引上げて船上に案内する回転式の引上げガイドと洗浄機を備え、
引上げガイドは請求項１２又は請求項１３記載の引上げガイドであり、
洗浄機は引上げガイドの回転中の羽根の上に水平状態でのせた養殖物に洗浄体を噴射して洗浄することができるものである、
ことを特徴とする養殖物洗浄装置。
【請求項１５】
請求項１４記載の養殖物洗浄装置において、
養殖物が底面と出し入れ口を備え、内部に貝類を収容可能な収容空間を備えた養殖カゴであり、その底面が下で出し入れ口が上向き（横向き）になる水平状態で引上げ、引上げた養殖物を引上げガイドの羽根に前記水平状態でのせ、羽根の水平回転により水平状態で船上側に送り出すことができ、洗浄機が羽根の上の水平状態の養殖物に洗浄体を噴射して、又は養殖物を引込んで洗浄体を噴射して洗浄できるものである、
ことを特徴とする養殖物洗浄装置。
【請求項１６】
請求項１４又は請求項１５記載の養殖物洗浄装置において、
洗浄機は外周にケースを備え、ケースは洗浄時の汚れが外部に飛散するのを防止できるものである、
ことを特徴とする養殖物洗浄装置。
【請求項１７】
請求項１４から請求項１６のいずれか１項に記載の養殖物洗浄装置において、
洗浄時の汚れが海中に落下できるように、引上げガイドをその全部又は一部が船の外に突出するように船に取付け、その外周にケースを被せ、ケースは洗浄時の汚れが外部に飛散するのを防止できるものである、
ことを特徴とする養殖物洗浄装置。
【請求項１８】
請求項１４から請求項１７のいずれか１項に記載の養殖物洗浄装置において、
ケースは前面に入口が、後面に出口が、側面に導入口が開口され、その導入口が前記入口と出口に連通して、海中から引上げた養殖物を導入口からケース内に引込み可能である、
ことを特徴とする養殖物洗浄装置。
【請求項１９】
請求項１４から請求項１８のいずれか１項に記載の養殖物洗浄装置において、
洗浄機が、高圧洗浄装置と、それよりも圧力の低い低圧洗浄装置を備え、高圧洗浄装置からの高圧洗浄体の噴射後に、低圧洗浄装置から低圧洗浄体が噴射されるようにした、
ことを特徴とする養殖物洗浄装置。
【請求項２０】
請求項１４から請求項１９のいずれか１項に記載の養殖物洗浄装置において、
養殖物の引上げ、洗浄、海中への戻しを連続して行う、
ことを特徴とする養殖物洗浄装置。
【発明の詳細な説明】
【技術分野】
【０００１】
本願発明は、養殖物を海中から引上げる方法と、引上げ中に又は船上に引上げてから養殖物を洗浄する洗浄方法と、養殖物を船上に引上げる引上げガイドと、海中から引上げながら又は船上に引上げてから養殖物を洗浄することができる洗浄装置に関するものである。特に、帆立貝、牡蠣、真珠貝、その他の貝（以下、「貝類」という。）を入れて海中に吊るしてある養殖カゴ、耳吊り養殖のために海中に吊るしてある貝類付きロープ等の養殖物を海中から引上げて、それら養殖物を洗浄したり、出荷したりするのに適するものである。
【背景技術】
【０００２】
貝類の養殖の主な方法として、籠養殖と耳吊り養殖がある。
【０００３】
籠養殖は四角錐形状の養殖カゴ（通称；座布団カゴ）や円筒状の丸カゴ（通称；提灯カゴ）の中に貝類を入れ、これら座布団カゴや提灯カゴなど（以下、これらをまとめて「養殖カゴ」という。）を多数連結して海中に吊下げて養殖する方法である。
【０００４】
耳吊り養殖はロープに差し込んだ樹脂製の貝係止具やテグスを、貝類に開けた孔に通して貝類をロープに係止し、その貝類付きロープを海中に吊下げて養殖する方法である。
【０００５】
前記座布団カゴの一例を図７に示す。この養殖カゴ１は、防食加工された金属線材で作られた方形の枠材２に、金属線材の補強材３を十字状に組み合わせた枠体４を底面とし、その枠体４の外周にネット５を略四角錐の形状（ピラミッド形）に張って、ネット５の内側に貝類を収容する空間を形成してある。また、枠体４の中心部（十字状の補強材３の中央部）Ａに吊り紐６を結び、その吊り紐６を前記空間内を通してネット５の頂部Ｂに結んで、吊り紐６の上側を上方に引くと、四角形の枠体４を底面とするピラミッド形となるようにしてある。また、ネット５の底面の四つのコーナーから頂部Ｂに向かう四つの稜線のうち、一つの稜線上に出し入れ口７が設けられ、そこから貝類を出し入れできるようにしてある。出し入れ口７はその全長を閉じ紐で閉じることもあるが、全長を閉じると貝類の出し入れ時に閉じ紐をほどく面倒があるため、途中までしか閉じないとか、ほとんど閉じないこともある。
【０００６】
籠養殖は、予め、前記吊り紐６で縦に多数個（通常６〜２０個程度）連結し、それら養殖カゴ１の最上段の養殖カゴの吊り紐６に案内紐（業界では「テボ」と呼ばれている）Ｇ（図８）を取り付け、そのテボＧを図８のように浮き玉Ｏで海上に浮かせてある幹ロープＰに繋いで、多数の養殖カゴ１を海中に吊下げ、養殖カゴ１内の貝類を養殖する方法である。養殖カゴ１はその底面が下になり、出し入れ口７が上（横向き）になって、海中で水平姿勢に吊下げられて養殖される。
【０００７】
籠養殖でも、耳吊り養殖でも、海中に長期間吊るしておくと養殖カゴ、ロープ、貝類に海藻や雑物が付着して貝類の成長が阻害される。貝類の成長促進のためには、養殖中に貝類を洗浄する必要がある。籠養殖では養殖カゴを、耳吊り養殖では貝類付きロープを、海中から船上に引上げて洗浄している。海中からの引上げは貝類の出荷時にも行われる。
【０００８】
養殖カゴ１の引上げ時には、従来は、図９のように、船Ｓの横に回転ロールＲを取り付け、その回転ロールＲを回転させて海中から養殖カゴ１を引上げ、その養殖カゴ１を回転ロールＲの四枚（５枚の場合もある）の羽根Ｗの上に順次のせて船上に送り出している。この場合、通常は、船上の作業員Ｈが養殖カゴ１を手で引いて船上に引上げて船上に溜めておき、その養殖カゴ１を、作業員Ｈが船上の洗浄機（図示せず）に入れて洗浄し、洗浄完了後に海中に戻している。出荷時は、洗浄後、養殖カゴ１から取り出して出荷する。回転ロールＲを使用した引上げは数十年前からの周知技術である。
【０００９】
貝類付きロープの引上げの従来方法は、船の横に回転ドラムを取り付け、その回転ドラムを回転させて海中から貝類付きロープを船上に引上げている。この場合も、通常は、船上の作業員が貝類付きロープを引いて船上に引上げて船上に溜めておき、その貝類付きロープを、作業員Ｈが船上の洗浄機に入れて洗浄し、洗浄後に海中に戻している。出荷時は、洗浄後、貝類付きロープから取り外して出荷する。この引上げに関しては特許文献１、２がある。
【先行技術文献】
【特許文献】
【００１０】
【特許文献１】特開平８−１９３４８号公報
【特許文献２】特開平１１−１４７０７９号公報
【発明の概要】
【発明が解決しようとする課題】
【００１１】
従来の養殖カゴ引上げ方法では、養殖カゴ１が回転ロールＲの回転により海中から引上げられて船上に送り出されるため、送り出し中に養殖カゴ１が反転して出し入れ口７（図７）が下向きになり、内部の貝類が出し入れ口７から落下することがあった。船上に落下した貝類は通常は、別途用意した新たな養殖カゴ１に入れて洗浄し、洗浄後に海中に戻している。このため、貝類が落下すると作業が多くなり、作業性が悪く、労力もかかる。貝は船上に落下するとは限らず、海中に落下することもある。この場合は養殖カゴ１に戻すことができず、養殖の歩留まりが低下し、養殖業者の減収の一因になる。
【００１２】
従来の貝類付きロープの引上げ方法では、回転ドラムの胴が丸胴で滑りやすいため、海藻や貝等付着して太くなっている貝類付きロープ（６ｍｍ〜８ｍｍ程度のロープが５０ｍｍ〜１５０ｍｍ程度にも太くなる）の場合は、滑って引上げにくいとか、滑ると貝類がロープから脱落して歩留まりが悪くなる、といったことがあった。
【００１３】
本願発明の課題は、海中から船上への引上げ中に、養殖カゴからの貝類の落下、貝類付きロープからの貝類の脱落がほとんどなく、歩留まりが向上し、効率の良い引上げ作業ができ、労力負担も軽減できるようにすることにある。
【課題を解決するための手段】
【００１４】
本願発明の養殖物引上げ方法は、海中の貝類入り養殖カゴ、貝類付きロープ等の養殖物を引上げる方法において、数枚の羽根を備えた引上げガイドを船に取付け、その引上げガイドにより、海中の養殖物を水平状態で引上げ、引上げた養殖物を引上げガイドの羽根に水平状態でのせ、羽根の水平回転により水平状態で船上側に送り出すようにした引上げ方法である。
【００１５】
本願発明の養殖物引上げ方法は、前記養殖物引上げ方法において、羽根の水平回転により水平状態で船上側に送り出す養殖物を、引継ぎ搬送体で引継いで船上側に送り出すこともできる。
【００１６】
本願発明の養殖物引上げ方法は、前記養殖物引上げ方法において、養殖物が底面と出し入れ口を備え、内部に貝類を収容可能な収容空間を備えた養殖カゴであり、その底面が下で出し入れ口が上向き（横向き）になる水平状態で引上げ、引上げた養殖物を引上げガイドの羽根に前記水平状態でのせ、羽根の水平回転により水平状態で船上側に送り出すこともできる。
【００１７】
本願発明の養殖物洗浄方法は、海中の養殖物を船上側に引上げて洗浄する養殖物洗浄方法において、養殖物を前記いずれかの養殖物引上げ方法により水平状態で引上げ、その引上げ中に、引上げガイドと引継ぎ搬送体のいずれか一方又は双方の上の養殖物に洗浄体を噴射して養殖物を洗浄する方法である。
【００１８】
本願発明の養殖物洗浄方法は、海中の養殖物を船上側に引上げて洗浄する養殖物洗浄方法において、養殖物を前記いずれかの養殖物引上げ方法により水平状態で船上側に引上げ、その養殖物を引上げガイド又は引継ぎ搬送体又は船上から洗浄機に入れて、その洗浄機内を通過中の養殖物に洗浄体を噴射して洗浄する方法である。
【００１９】
本願発明の養殖物洗浄方法は、海中の養殖物を船上側に引上げて洗浄する養殖物洗浄方法において、養殖物が底面と出し入れ口を備えた養殖カゴであり、その底面が下で出し入れ口が上向き（横向き）になる水平状態で引上げ、引上げた養殖物を引上げガイドの羽根に前記水平状態でのせ、羽根の水平回転により水平状態で船上側に送り出し、その引上げ中に養殖物に洗浄体を噴射して、又は引上げ後に洗浄機に入れて洗浄機内で養殖物に洗浄体を噴射して養殖物を洗浄する方法であってもよい。
【００２０】
本願発明の養殖物洗浄方法は、前記養殖物洗浄方法において、羽根の水平回転により水平状態で船上側に送り出す養殖物を、引継ぎ搬送体で引継いで船上側に送り出し、その送り出し中に、引上げガイドと引継ぎ搬送体の双方又はいずれか一方の上の養殖物に洗浄体を噴射して洗浄する方法であってもよい。
【００２１】
本願発明の養殖物洗浄方法は、前記養殖物洗浄方法において、引上げガイドをその全部又は一部が船の外に突出するように船に取付けたものであってもよい。
【００２２】
本願発明の養殖物洗浄方法は、前記養殖物洗浄方法において、引上げガイドの外周にケースを被せて、養殖物から落ちる汚れの飛散を防止できる方法である。
【００２３】
本願発明の養殖物洗浄方法は、前記養殖物洗浄方法において、洗浄体の噴射を二回以上行って養殖物を洗浄し、最初の噴射を高圧噴射、二回目以降の噴射を最初の噴射よりも低圧噴射とすることもできる。
【００２４】
本願発明の養殖物洗浄方法は、前記養殖物洗浄方法において、海中からの養殖物の引上げ、洗浄、海中への戻しを連続して行うこともできる。
【００２５】
本願発明の養殖物引上げガイドは、海中の養殖物を引上げて、養殖物を船上に又は船上の洗浄機に送り出すことができる養殖物引上げガイドにおいて、養殖物引上げガイドは縦回転する回転体が少なくとも二体と、引上げ中の養殖物をのせることのできる羽根が数枚あり、それら羽根は一端側が前記二体の回転体のうちの一方の回転体に、他端側が他方の回転体に取り付けられて、両回転体と共に回転しながら、両回転体の少なくとも引上げ部と送り出し部において水平状態であり、養殖物を水平状態で支持することができ、水平状態で船上側に送り出し可能なものである。
【００２６】
本願発明の養殖物引上げガイドは、前記養殖物引上げガイドにおいて、羽根が、汚れが落下できる大きさの網目、孔、隙間を備えたものであることが望ましい。
【００２７】
本願発明の養殖物洗浄装置は、海中の養殖物を船上に引上げながら又は引上げてから洗浄する養殖物洗浄装置において、養殖物を海中から引上げて船上に案内する回転式の引上げガイドと洗浄機を備え、引上げガイドは前記引上げガイドであり、洗浄機は引上げガイドの回転中の羽根の上に水平状態でのせた養殖物に洗浄体を噴射して洗浄することができる装置である。
【００２８】
本願発明の養殖物洗浄装置は、前記養殖物洗浄装置において、養殖物が底面と出し入れ口を備え、内部に貝類を収容可能な収容空間を備えた養殖カゴであり、その底面が下で出し入れ口が上向き（横向き）になる水平状態で引上げ、引上げた養殖物を引上げガイドの羽根に前記水平状態でのせ、羽根の水平回転により水平状態で船上側に送り出すことができ、洗浄機が羽根の上の水平状態の養殖物に洗浄体を噴射して、又は養殖物を引込んで洗浄体を噴射して洗浄できる洗浄装置である、
【００２９】
本願発明の養殖物洗浄装置は、前記養殖物洗浄装置において、洗浄機は外周にケースを備え、ケースは洗浄時の汚れが外部に飛散するのを防止できる洗浄装置である。
【００３０】
本願発明の養殖物洗浄装置は、前記養殖物洗浄装置において、洗浄時の汚れが海中に落下できるように、引上げガイドをその全部又は一部が船の外に突出するように船に取付け、その外周にケースを被せ、ケースは洗浄時の汚れが外部に飛散するのを防止できるものであってもよい。
【００３１】
本願発明の養殖物洗浄装置は、前記養殖物洗浄装置において、ケースは前面に入口が、後面に出口が、側面に導入口が開口され、その導入口が前記入口と出口に連通して、海中から引上げた養殖物を導入口からケース内に引込み可能なものであってもよい。
【００３２】
本願発明の養殖物洗浄装置は、前記養殖物洗浄装置において、洗浄機が、高圧洗浄装置と、それよりも圧力の低い低圧洗浄装置を備え、高圧洗浄装置からの高圧洗浄体の噴射後に、低圧洗浄装置から低圧洗浄体が噴射されるようにしたものであってもよい。
【００３３】
本願発明の養殖物洗浄装置は、前記養殖物洗浄装置において、養殖物の引上げ、洗浄、海中への戻しを連続して行うことができるものであってもよい。
【発明の効果】
【００３４】
本願発明の養殖物引上げ方法は、海中から水平状態で引上げた養殖物を、水平状態で引上げガイドにのせて、水平状態で船に送り出すので、養殖カゴの場合は出し入れ口が下向きになることがなく、出し入れ口から貝類が落下せず、歩留まりが良い。落下した貝類を拾う必要もないため無駄な作業もほとんど発生せず。省力化もできる。
【００３５】
本願発明の養殖物洗浄方法は、海中から水平状態で引上げた養殖物を引上げ体の羽根に水平状態でのせて、その羽根の上で養殖物を洗浄するので、引上げから洗浄までの作業を連続して自動的に行うことができ、作業性が良く、作業能率も向上する。養殖物が養殖カゴの場合でも、貝類が養殖カゴから落下することなく、引上げ、洗浄ができる。
【００３６】
本願発明の養殖物引上げガイドは、羽根が水平回転して、養殖物を水平状態で羽根の上にのせることができ、その水平状態で船上側に送り出し可能であるため、養殖カゴ内の貝類が落下しない。
【００３７】
本願発明の養殖物洗浄装置は、養殖物を引上げガイドにより水平状態で船上側に送り出しながら、その引上げガイドの上で洗浄できるので、船上に専用の洗浄機を設置する必要がなく、簡潔な構成の引上げ洗浄装置になる。この場合、引上げガイドの外周をケースで被覆して、その中で洗浄機から洗浄体を噴射して洗浄できるようにすれば、汚れが周囲に飛散しないため、船上が汚れず、船上を掃除する手間も不要である。また、引上げガイド及びその外周を被覆するケースを船上から海側に突設すれば、洗い落された汚れが海上に落下するため、船上が汚れず、船上を掃除する手間も不要である。ケースの側面に導入開口部がある場合は、その導入開口部から養殖物を引込んで、ケースの入口と出口にセットすることができるため洗浄作業が容易になる。
【００３８】
本願発明の養殖物洗浄装置は、引上げガイドにより水平状態で船上に送り出される養殖物を、船上に設置した洗浄機に引込みながら洗浄できるので、引上げと洗浄を連続して行うことができ、引上げ洗浄作業の自動化もできる。洗浄体の噴射を二回以上行って養殖物を洗浄し、最初の噴射を高圧噴射、二回目以降の噴射を最初の噴射よりも低圧噴射にすれば、高圧噴射で洗い落した汚れを、低圧噴射で洗い流すこともできる。
【図面の簡単な説明】
【００３９】
【図１】本願発明の養殖物引上げ方法及び洗浄方法の説明図。
【図２】（ａ）、（ｂ）は本願発明の養殖物引上げ方法及び洗浄方法の他例の説明図。
【図３】（ａ）は本願発明の養殖物洗浄装置における洗浄機の一例を示す断面図、（ｂ）は（ａ）の洗浄機の斜視図。
【図４】図３（ａ）、（ｂ）に示す洗浄機の内部構造説明図。
【図５】（ａ）は図４に示す洗浄機の網の説明図、（ｂ）は（ａ）の網の連結説明図。
【図６】（ａ）、（ｂ）は本願発明の養殖物洗浄装置における洗浄機の異なる例を示す概要図。
【図７】養殖カゴの斜視図。
【図８】従来の養殖カゴ吊下げ方法の概要説明図。
【図９】従来の養殖カゴ引上げ方法の詳細説明図。
【発明を実施するための形態】
【００４０】
本願発明の養殖物引上げ方法の一実施形態を図面に基づいて説明する。この実施形態は籠養殖中の養殖カゴ１（図７）の場合であり、養殖カゴ1内に入れる貝類が帆立貝の場合であるが、養殖カゴは提灯カゴとか他の形状のカゴであってもよく、養殖カゴ１内に入れるものは他の貝類でもよい。養殖カゴ1は夫々の養殖カゴ1の吊り紐６で多数連結される。
【００４１】
（養殖物引上げ方法の実施形態）
図１の実施形態では、吊り紐６で連結されて海中に吊り下げられている数個（多数個も含む）の養殖カゴ１を、その底面を下にし、出し入れ口７（図７）を上（横）にして、引上げガイド１０の回転により連続的に引上げ、引上げガイド１０が回転しても引上げ中の養殖カゴ１を出し入れ口７が上になる水平（ほぼ水平を含む：以下同じ）状態に維持して船上に引上げる方法である。船上に引上げた養殖カゴ１はそのまま船上の洗浄機１１に入れて洗浄することもできるが、洗浄機１１に入れずに船上にためておくこともできる。海藻や貝類等が付着している養殖カゴ１がスリップするなどして、引上げガイド１０の回転のみでは引上げ難い場合は、吊り紐６を船上の作業員が引上げることも、船上に設置した牽引具や洗浄機で引上げることもできる。
【００４２】
（養殖物洗浄方法の実施形態）
本願発明の養殖物洗浄方法は、図２（ａ）、（ｂ）のように船上側に引上げた養殖カゴ１を連続して洗浄機１１に入れて、洗浄機１１の噴射装置のノズル１３から洗浄体を噴射して、養殖カゴ1及びその内部の貝類を洗浄し、洗浄後に、養殖カゴ1を海中に戻す方法である。ノズル１３は固定式、回転式、往復横移動式問いった可動式でもよい。洗浄体は高圧洗浄液、微小粉体を含む洗浄液、気体混入液、気体等である。
【００４３】
図２（ａ）、（ｂ）の洗浄機１１は、引上げガイド１０（図１）の外周をケース１２で囲い、そのケース１２内に配置したノズル１３から洗浄体を高圧噴射して、養殖カゴ１及びその内部の貝類を洗浄するものである。洗浄機１１は図３（ａ）、（ｂ）に示すようなものであってもよい。いずれの洗浄機の場合も、ケース１２で囲って、汚れが周囲に飛散しないようにするのがよい。この場合、ケース１２の海側面に入口１２ａを、船側面に出口１２ｂを、側面に導入口１２ｃを設けて、図1のように連結されている数個の養殖カゴ１を、導入口１２ｃからケース１２内に引込んで入口１２ａと出口１２ｂにセットし易くしてある。
【００４４】
（養殖物引上げガイドの実施形態）
本願発明の養殖物引上げガイド（以下「引上げガイド」という）の一例を図１に示す。この引上げガイド１０は海中の養殖物を引上げて、養殖物を船上側に又は船上の洗浄機に送り出すことができる引上げガイドである。この引上げガイド１０は図１に示すように、二組の縦回転体１５、１６と、引上げ中の養殖カゴ１をのせることのできる羽根１７を複数枚備えている。一方の縦回転体１５は二本のチェーン１５ａ、１５ｂを対向配置し、夫々のチェーンをスプロケット１８に掛けて構成され、他方の縦回転体１６は二本のチェーン１６ａ、１６ｂを対向配置し、夫々のチェーンをスプロケット１８に掛けて構成されている。一対のチェーン１５ａと１５ｂ同士、他方のチェーン１６ａと１６ｂ同士が同期回転し、更に、両組の縦回転体１５、１６同士も同期回転できるように動力伝達機構で連係してある。
【００４５】
図１の船上側の縦回転体１６は、上部が略水平になっており、その上部に差し掛かった羽根１７が水平になって船上又は船上の洗浄機１１に送り込まれるようにしてある。
【００４６】
前記羽根１７は板状であり、縦回転体１５、１６に五枚取付けられている。枚数はそれよりも多くすることも少なくすることもできる。夫々の羽根１７は、その奥行方向先端辺の横幅方向両端部が一方の縦回転体（海側の回転体）１５のチェーン１５ａ、１５ｂに取付けられ、奥行方向後端辺の横幅方向両端部が他方の縦回転体１６のチェーン１６ａ、１６ｂに取付けられて、縦回転体１５、１６の同期回転に伴って、水平回転（ほぼ水平回転を含む：以下同じ）するようにしてある。前記羽根１７は汚れが落下できる大きさの網目、孔、隙間等の落下口を備えたものとすることができる。例えば、網とかパンチングメタルを使用することができる。
【００４７】
（引継ぎ搬送体の実施形態）
図２（ａ）は引上げガイド１０の回転体１６よりも船上側に引継ぎ搬送体２０がある。引継ぎ搬送体２０は回転体１６から水平状態で送り出される養殖カゴ１を水平状態で引継いで洗浄機１１に送り込むか、船上に送り出すものである。引継ぎ搬送体２０は回転コンベア式であり、スプロケット１８に網を巻いた網コンベア、パンチングメタル、エキスパンドメタル等の孔あき材を巻いた網状コンベアである。
【００４８】
（引上げガイドの動作）
前記引上げガイド１０は動力伝達機構を、図示しないモータにより回転駆動させることにより、二本一対のチェーン１５ａ、１５ｂ同士、二本一対のチェーン１６ａ、１６ｂ同士、両組の縦回転体１５、１６同士を同期回転させる。この同期回転により羽根１７が略水平状態で上下に回転する。
【００４９】
（引上げガイドによる養殖カゴの引上げ）
羽根１７の外周に養殖カゴ１の吊り紐６を掛け、チェーン１５ａ、１５ｂ、１６ａ、１６ｂの回転により羽根１７を回転させると、海中から養殖カゴ１が連続して引上げられる。引上げられた養殖カゴ１は羽根１の上に、底面が下、出し入れ口７が横向きの水平状態にのり上げる、この状態で羽根の回転が進んで、回転体１５の頂部を通過すると、羽根１７の上から船上側に送り出される。
【００５０】
養殖カゴ１が連続して引上げられると、最上段の養殖カゴ１は五枚の羽根１７のうち最も海側に位置する羽根の上に乗り上げ、その後、回転中の五枚の羽根１７に順次乗り上げる。前記引上げ中に羽根１７が水平状態のまま回転するため、羽根１７の上にのった養殖カゴ１は水平状態のまま（出し入れ口７が上向き又は横向きのまま）船上側に送り出され、養殖カゴ１内の貝類が出し入れ口７から落下することはない。このとき、必要に応じて、船上の作業員Ｈ又は牽引具で養殖カゴ１の吊り紐６を引いて、羽根１７の上の乗り上げた養殖カゴ１が自重で滑り落ちたり引戻されたりしないようにする。
【００５１】
吊り紐６で多数連結されて、幹ロープＰに吊り下げられている養殖カゴ１の引上げが終了したら、幹ロープＰに吊り下げられている隣の列の養殖カゴ１を、前記と同様にして海中から引上げる。
【００５２】
（養殖物洗浄装置の実施形態１）
本願発明の養殖物洗浄装置は、図１のように船上に引上げガイド１０と洗浄機１１が設置され、引上げガイド１０で引上げた養殖カゴ１を洗浄機１１に引込んで洗浄できるようにしてある。
【００５３】
本願発明では、各種形状、構造、機能の洗浄機を使用できるが、一例として図２（ａ）に示す洗浄機１１は、引上げガイド１０の外周に被せるケース１２と、ケース１２の上面内側に設置した噴射装置１３を備えており、噴射装置１３から噴射される洗浄体で養殖カゴ１とその内部の貝類を洗浄するものである。ケース１２の海側面に入口１２ａが、船側面に出口１２ｂが開口され、側面に導入口１２ｃが開口されて、引上げガイド１０で引上げた養殖カゴ１を横スライドさせて導入口１２ｃからケース１２内に引込んで、前記入口１２ａと出口１２ｂにセットする（掛け渡す）ことができるようにしてある。導入口１２ｃには飛散防止具３７（図３（ｂ））を設けて導入口１２ｃを閉塞して、養殖カゴ洗浄時の汚れが導入口１２ｃから外部に飛散しないようにするのが望ましい。飛散防止具は開閉式ものでも良いが、常時閉塞しており、養殖カゴ１を横スライドさせるとケース１２の内側に押し込まれて開き、養殖カゴ１をケース１２内に導入するとケース１２の外側に復元して導入口１２ｃを自動的に閉塞できるものが望ましい。
【００５４】
図２（ａ）のように、ケース１２は底面開口の箱型にし、それを引上げガイド１０の上から被せて連結具（図示しない）により船に取付けておく。この場合、ケース１２の底面開口部１２ｄを海上に突出させて、洗い落とされる汚れが底面開口部１２ｄから海上に落下して、船上に落下しないようにして、船上が汚れにくくなるようにすることができる。底面開口部１２ｄに排出ガイド１２ｅ（図２（ａ））を設け、排出ガイド１２ｅを海側に向けて下り傾斜にして、洗い落とされる汚れが排出ガイド１２ｅの上から海上に滑落するようにすることもできる。いずれの場合も、引上げガイド１０をその全部又は一部が海上に突出するように取付けて、引上げガイド１０の羽根１７の上に水平に引上げられた養殖カゴ１に洗浄体を噴射して洗浄すると、落ちた汚れが海上に落下するようにすることができる。本願発明では、海の汚染防止の面から、汚れが海上にも船上にも流出しないようにすることもできる。そのためには、ケース１２の底を深くし且つ密閉して汚れ収容部を形成し、この汚れ収容部内に汚れを溜めておき、それを、船が岸に戻ってから陸上に回収できるようにすることもできる。
【００５５】
洗浄体には高圧液体、液体内に粉体が含まれている粉体含有高圧洗浄液、気体が含まれている気体含有高圧洗浄液、その他、適宜のものを使用することができる。
【００５６】
（養殖物洗浄装置の実施形態２）
洗浄機１１は図３（ａ）、（ｂ）に示すようなものであってもよい。この洗浄機１１は船上設置型であり、ケース１２内に下搬送体４０と上搬送体４１（図４）が対向配置され、上下にノズル式の噴射装置を備えており、その噴射装置のノズル１３から噴射される洗浄体で養殖カゴ１とその内部の貝類を洗浄するものである。両搬送体４０、４１は網状の回転コンベアであり、それら回転コンベアの回転により、両回転コンベアの間に養殖カゴ１が引込まれ、両搬送体４０、４１を通過中に、前記噴射装置のノズル１３から洗浄体を噴射して、養殖カゴ１とその内部の貝類を洗浄できるようにしたものである。
【００５７】
下搬送体４０、上搬送体４１、噴射装置のノズル１３はケース１２内に収納されている。ケース１２の正面壁には入口１２ａが、後面壁には出口１２ｂが開口され、側面壁には導入口１２ｃが開口されて、引上げガイド１０で引上げた養殖カゴ１を横スライドさせて導入口１２ｃからケース１２内に引込んで、入口１２ａと出口１２ｂにセットできるようにしてある。この導入口１２ｃには飛散防止具３７（図３（ｂ））を設けて導入口１２ｃを閉塞して、洗浄時の汚れが導入口１２ｃから外部に飛散しないようにしてある。ケース１２の底面は底板（図示しない）で閉塞して、ケース１２内で洗浄された汚れが底板の上に落下して、底板から海中へ滑落するようにすることもできる。このようにすることにより、船上の汚れを防止することができる。
【００５８】
上搬送体４１及び下搬送体４０は駆動装置によって強制回転させることができる。上搬送体４１を駆動装置によって強制回転させて下搬送体４０は自由回転とすることも、逆に、下搬送体４０を駆動装置によって強制回転させて上搬送体４１は自由回転とすることもできる。上搬送体４１及び下搬送体４０はともに自由回転とし、他の牽引装置で養殖用カゴ１を搬送方向に引っ張ることもできる。
【００５９】
図４では、上搬送体４１の入口部４１ａをやや上向きに屈折させて、上搬送体４１と下搬送体４０の間に形成される隙間をその搬送方向における先方（下流側）区間の隙間より広くして、養殖用カゴ１が入口部４１ａに引込まれ易くなり、前記隙間に円滑に案内されるようにしてある。
【００６０】
下搬送体４０、上搬送体４１には金網が使用されている。この金網は汎用の金網でも良いが、図５（ａ）、（ｂ）に示すように、矩形の網目が連続する金網４２であってもよい。図５（ａ）の金網４２は波型材４３を線材４４で連結して網状にしてあるが、金網４２は短い金属片を多数枚連結して矩形の網目状にしたものであってもよい。金網４２の場合は網目４５に養殖物に付着している汚れが落ち込んで滑り止めになり、網目４５の周壁４６に養殖物に付着している汚れが係止して滑り止めになる。
【００６１】
本願発明の洗浄機は図６（ａ）のようなものであってもよい。この洗浄機１１は下搬送体４０を図４の下搬送体４０と同様に金網製にし、その上に押し具４７を配置して、下搬送体４０の上の養殖物を押し具４７で押しながら搬送し、その搬送中に洗浄装置のノズル１３から洗浄体を噴射して、養殖物及びその中の貝類を洗浄できるようにしたものである。
【００６２】
噴射装置は前記洗浄体を噴射できるものである。既存のこの種の洗浄装置で使用されている噴射装置を使用することができる。噴射装置のノズル１３は細長のものであっても、個別のものであってもよく、固定式のものであってもよい。いずれの場合も長さ、設置数、設置間隔、移動方向、回転方向、移動スピード、回転スピード等は洗浄に適するように設定する。噴射する液体は海水に限らず、加圧された水や他の液体を利用することもできる。この液体に高圧のガス（空気などの気体）を混入させると、帆立貝により強い衝撃を与えることができる。あるいは、海水などの液体に代えて高圧ガスのみを噴射することもできる。高圧液体、粉体含有高圧洗浄液、気体含有高圧洗浄液、その他、適宜のものを使用することができる。
【００６３】
本願発明の洗浄機は図６（ｂ）のようなものであってもよい。この洗浄機１１は下搬送体４０と上搬送体４１を備え、それら搬送体４０、４１を図４の下搬送体４０、上搬送体４１と同様に金網製にし、下搬送体４０の内側と上搬送体４１の内側にノズル１３を配置し、それらノズル１３から、洗浄体を噴射できるようにしたものである。この場合、下搬送体４０内のノズル１３から噴射される洗浄体が下搬送体４０の上走行部４０ｂを通過して養殖物に噴射され、上搬送体４１の内側のノズル１３から噴射される洗浄体が上搬送体４１の下走行部４１ｂを通過して養殖物に噴射されるので、洗浄体が前記上走行部４０ｂ、下走行部４１ｂを通過し易くなり、養殖物の汚れが落ち易くなる。
【００６４】
本願発明では、洗浄機が高圧洗浄装置とそれよりも圧力の低い低圧洗浄装置を備え、高圧洗浄装置からの高圧洗浄体の噴射後に、低圧洗浄装置から低圧洗浄体が噴射されるようにすることもできる。
【産業上の利用可能性】
【００６５】
これまで述べた養殖用カゴ１は一般的な座布団カゴの場合であるが、本願発明では、座布団カゴに限らず、丸カゴなど他の形状や構造の養殖カゴ１の引上げ、洗浄に使用できる。耳釣り養殖の貝類付きロープ、その他の海中物、例えば、昆布等の引上げ、洗浄に使用することもできる。
【符号の説明】
【００６６】
１    養殖カゴ
２    枠材
３    補強材
４    枠体
５    ネット
６    吊り紐
７    出し入れ口
１０    引上げガイド
１１    洗浄機
１２    ケース
１２ａ  （ケースの）入口
１２ｂ  （ケースの）出口
１２ｃ  （ケースの）導入口
１２ｄ  （ケースの）底面開口部
１２ｅ  排出ガイド
１３    （噴射装置の）ノズル
１５、１６  縦回転体
１５ａ、１５ｂ  チェーン
１６ａ、１６ｂ  チェーン
１７    羽根
１８    スプロケット
２０    引継ぎ搬送体
４０    下搬送体
４０ｂ  （下搬送体の）上走行部
４１    上搬送体
４１ａ  （上搬送体の）入口部
４１ｂ  （上搬送体の）下走行部
４２    金網
４３    波型材
４４    線材
４５    網目
４６    周壁
４７    押し具
Ａ    （枠体の）中心部
Ｂ    （ネットの）頂部
Ｇ    案内紐（テボ）
Ｈ    作業員
Ｍ    駆動体
Ｏ    浮き玉
Ｐ    幹ロープ
Ｒ    回転ロール
Ｓ    船
Ｗ    羽根
【図１】
2015139395.tif 000003
【図２】
2015139395.tif 000004
【図３】
2015139395.tif 000005
【図４】
2015139395.tif 000006
【図５】
2015139395.tif 000007
【図６】
2015139395.tif 000008
【図７】
2015139395.tif 000009
【図８】
2015139395.tif 000010
【図９】
2015139395.tif 000011